(57)【要約】      （修正有）【課題】足部を被覆してスキンケア剤などを適用する足被覆フィルムの構造を提供する。【解決手段】ポリエチレンなどの素材のフィルムを表層２とし、その裏層３として液体を吸収する布地などと張り合わせて、足部を被覆する袋状に形成し、裏層にはスキンケア剤や医薬品を含浸させて、足部を挿入する開口部上方をホットメルト法によって封止４する。足部を挿入する開口部片側には、一方の端から他方にいたる引き裂き部５を設け、タグ状の標示印６を設けて、該標示印をつまんで引くことにより、足部を挿入する開口部か形成される。【選択図】図１
0003181282.tif 000002
【実用新案登録請求の範囲】
【請求項１】
密封性の素材からなる表層とその内側に張り合わせた裏層からなる複合層フィルムにより足部を挿入して被覆する袋状に形成すると共に
該袋状の上縁部をホットメルト法によって封止して密閉部を形成し、
足部を挿入する開口部を形成する引き裂き部を該密閉部に沿って該密閉部下側の一端から他端まで設けたことを特徴とする、便利に使用できる足被覆フィルムの構造。
【請求項２】
前記引裂部に引き裂き開封箇所及びその方向を指示するタグ状の標示印を設置したことを特徴とする請求項１記載の便利に使用できる足被覆フィルムの構造。
【請求項３】
前記表層の外部の材質はナイロン(Ｎｙｌｏｎ)或いはポリエチレンテレフタラート (Polyethylene terephthalate, PET) であることを特徴とする請求項１記載の便利に使用できる足被覆フィルムの構造。
【請求項４】
前記表層の内部の材質は塩素化ポリエチレン(Chlorinated Polyethylene,CPE)であることを特徴する請求項１記載の便利に使用できる足被覆フィルムの構造。
【請求項５】
前記裏層の材質は不織布、織物又は布であることを特徴とする請求項１記載の便利に使用できる足被覆フィルムの構造。
【請求項６】
前記裏層にスキンケア製品或いは医薬品を含有したことを特徴とする請求項１記載の便利に使用できる足被覆フィルムの構造。
【考案の詳細な説明】
【技術分野】
【０００１】
本考案は便利に使用できる足被覆フィルムの構造に関し、特に簡単に引裂けて足部を挿入する開口を形成し、及び密閉効果が良く、且つ手入れ効果のある足被覆フィルム構造に関する。
【背景技術】
【０００２】
世界的に経済が発展していくのにつれ、人々は生活をするのに基本的な衣食住と交通手段のニーズのほか、娯楽とお肌の手入れの関連情報も次第に重視するようになってきた。美しい容姿を維持或いは若返るために、今や女性だけでなく、多くの男性も肌の手入れに気を配るようになってきた。加えて現代人は外見の完璧さを求めるのに、手入れはもはや顔だけに限らず、ボディをも手入れするのが流行である。このような莫大なビジネスチャンスに刺激され、顔の手入れに使われていたパックをボディの手入れに応用するようになった。
【０００３】
従来技術の手入れ用パックの改良構造は、使用する際にそれなりに便利となっているが、美容液を含む足被覆用フィルムは完全に密閉する構造であるため、使用する際にはツールを使って、足のフィルムを切り開いて開口を形成する必要があり、大変不便であることを鑑みて、更なる改善が必要であった。
【先行技術文献】
【特許文献】
【０００４】
【特許文献１】特開２００４−２４８７６０号公報
【考案の概要】
【考案が解決しようとする課題】
【０００５】
前記公知構造の欠点を解決するため、本考案は密閉された足被覆フィルムを簡単に引裂いて開口を形成することにより使用可能とし、密閉効果がよく、手入れ効果をも具有する便利に使用できる足被覆フィルムの構造を提供することを主な課題とする。
【課題を解決するための手段】
【０００６】
上述の目的を解決するために、本考案は便利に使用できる足被覆フィルムの構造を提供するものである。複合層のフィルム状物品で便利に引裂ける足被覆フィルム構造を製造し、人体の足部に套合する。該複合層のフィルム物品は表層及び裏層で構成し、該裏層は表層の内部に設置し、表層と貼合する。該足被覆フィルム構造の上縁はホットメルトで密閉部を形成し、該密閉部の下縁の片側に引裂部を形成する。
【０００７】
該表層の外部の材質は、ナイロン(Ｎｙｌｏｎ)或いはポリエチレンテレフタラート (Polyethylene terephthalate, PET) であり、該表層の内部の材質は塩素化ポリエチレン(Chlorinated Polyethylene,CPE)とし、該裏層は各種の素材からなる不織布、織物、一般の生地など、液体を吸収できる様々な材質とすることができる。
【０００８】
更に、本考案の便利に使用できる足被覆フィルムの構造は、足部の手入れのためのパックとして使用できるほか、皮膚病の治療にまで応用することができ、ニーズに合わせて液状、クリーム状、粉状などの形態のスキンケア製品を裏層の中に入れて使用することができる。スキンケア製品或いは医薬品を加える方法として、予め加えるか、或いは使用前に加えるという二方法がある。
【０００９】
上記のように、本考案の便利に使用できる足被覆フィルムの構造は、密閉部の下方の片側に形成する引裂部により、ホットメルト法で封止した足被覆フィルム構造を足部を挿入する開口部を形成することができる。該引裂部に標示印を設けておくことにより、ユーザーは容易に引裂く方向を識別し、該標示印の指示方向に沿って該足被覆フィルム構造を平行に引裂いて使用することができる。
【考案の効果】
【００１０】
本考案は、足被覆フィルム構造の上縁をホットメルト法で密閉部を形成し、該密閉部の下縁の片側に引裂部を形成することにより、簡単に密封された足被覆フィルム構造を開封することができる。スキンケア製品或いは医薬品を加えることができるため、足部の手入れのほか、皮膚病の治療にまで応用することができる。
【図面の簡単な説明】
【００１１】
【図１】本考案における立体略図である。
【図２】本考案における実施略図(一)である。
【図３】本考案における実施略図(二)である。
【考案を実施するための形態】
【００１２】
図１に示すのは、本考案における立体略図である。
【００１３】
図に示すように、本考案は便利に使用できる足被覆フィルムの構造であり、密封された複合層のフィルム状物品を使用に際して便利に引裂いて足部を挿入する開口を形成できる足被覆フィルム構造１であり、人体の足部を挿入して使用する。該複合層のフィルム物品は表層２及び裏層３で構成し、該裏層３は表層２の内部に設置し、表層２と貼合する。該足被覆フィルム構造１の上縁はホットメルトで密閉部４を形成し、該密閉部４の下縁の片側に引裂部５を形成する。該引裂部５に標示印６を設けておくことにより、ユーザーは容易に引裂く箇所とその方向を知ることができる。
【００１４】
該表層２の外部の材質はナイロン(Ｎｙｌｏｎ)或いはポリエチレンテレフタラート (Polyethylene terephthalate, PET) であり、該表層２の内部の材質は塩素化ポリエチレン(Chlorinated Polyethylene,CPE)とし、該裏層３は各種の素材からなる不織布、織物、一般の布地など、液体を吸収できる様々な材質とする。
【００１５】
更に、本考案の便利に使用できる足被覆フィルムの構造は、足部の手入れのためのパックとして使用できるほか、皮膚病の治療にまで応用することができ、ニーズに合わせて液状、クリーム状、粉状などの形態のスキンケア製品を裏層３の中に入れて，或いは含浸させて使用することができる。スキンケア製品或いは医薬品を加える方法として、予め加えるか、或いは使用前に加えるという二方法がある。
【００１６】
図２に示すのは、本考案における実施略図(一)である。
【００１７】
図に示すように、本考案は引裂部５より足被覆フィルム構造１を引裂いて開口を具有する形状を形成し、該開口は密閉部４の下縁の片側に位置する。同時に引裂部５にタグ状の標示印６を設けることで、ユーザーが簡単に開く位置と方向を知ることができる。
【００１８】
図３に示すのは、本考案における実施略図(二)である。
【００１９】
図に示すように、本考案の便利に使用できる足被覆フィルムの構造は、該足被覆フィルム構造１の上縁にある引裂部５を平行に他端まで引裂いて足部を挿入する開口を形成してから、人体の足部を該足被覆フィルム構造１の内側に挿入し、更に裏層３に入れたスキンケア製品或いは医薬品によって、好適な手入れ或いは治療効果を得ることができる。この他、該引裂部５を他端まで引裂いた後、引裂いた帯状のものは足被覆フィルム構造１と繋いだままとなるため、該引裂部５を裂いたあと、開封後にゴミとなることなく、使用上便利である。
【符号の説明】
【００２０】
１  足被覆フィルムの構造
２  表層
３  裏層
４  密閉部  
５  引裂部
６  標示印
【図１】
0003181282.tif 000003
【図２】
0003181282.tif 000004
【図３】
0003181282.tif 000005